(57)【要約】  ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）においてバックオフ調整および送信電力調整を決定するための方法であって、信号受信における問題を判定するステップ、ならびにバックオフおよび送信電力を複数の測定結果に基づき調整するステップを含む方法。測定結果には、共通パイロットチャネル希望波受信電力、受信信号強度、および上り回線干渉が含まれる。
2010516095.tif 000002
【特許請求の範囲】
【請求項１】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）においてバックオフ調整および送信電力調整を判定するための方法であって、
信号受信における問題を判定するステップと、
複数の測定結果に基づいて、バックオフおよび送信電力を調整するステップと
を具備することを特徴とする方法。
【請求項２】
前記複数の測定結果を作成するために複数の変数を測定するステップをさらに具備することを特徴とする請求項１に記載の方法。
【請求項３】
前記複数の測定結果を受信するステップをさらに具備することを特徴とする請求項１に記載の方法。
【請求項４】
前記複数の測定値結果が、ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）、およびＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）を具備することを特徴とする請求項１に記載の方法。
【請求項５】
セル距離およびフェージング状態を判定するステップをさらに具備することを特徴とする請求項１に記載の方法。
【請求項６】
前記複数の測定結果に基づいてシナリオを判定するステップと、
前記シナリオに基づいてバックオフおよび送信電力を調整するステップと
をさらに具備することを特徴とする請求項１に記載の方法。
【請求項７】
前記シナリオが、
セルに対するＷＴＲＵの位置と、
干渉測定と、
深いフェージング状態と、
ＣＰＩＣＨ  ＲＳＣＰと、
ＲＳＳＩと、
ＵＬ（ＵｐＬｉｎｋ：上り回線）干渉と
を具備することを特徴とする請求項６に記載の方法。
【請求項８】
前記ＣＰＩＣＨ  ＲＳＣＰ、ＲＳＳＩ、およびＵＬ干渉が高位であるか、または低位であるかを判定するステップをさらに具備することを特徴とする請求項６に記載の方法。
【請求項９】
ＵＬ干渉が低位であり、
ＣＰＩＣＨ  ＲＳＣＰが低位であり、かつ
ＲＳＳＩが低位である
場合には、送信電力を上げるステップと、バックオフを調整しないステップとをさらに具備することを特徴とする請求項８に記載の方法。
【請求項１０】
ＵＬ干渉が高位であり、
ＣＰＩＣＨ  ＲＳＣＰが低位であり、かつ
ＲＳＳＩが低位である
場合には、バックオフを中位の値に設定するステップと、電力を高位の値まで上げるステップとをさらに具備することを特徴とする請求項８に記載の方法。
【請求項１１】
ＵＬ干渉が低位であり、
ＣＰＩＣＨ  ＲＳＣＰが高位であり、かつ
ＲＳＳＩが低位である
場合には、バックオフをより高位の値に設定するステップと、電力を調整しないステップとをさらに具備することを特徴とする請求項８に記載の方法。
【請求項１２】
ＵＬ干渉が高位であり、
ＣＰＩＣＨ  ＲＳＣＰが高位であり、かつ
ＲＳＳＩが低位である
場合には、バックオフを中位の値に設定するステップと、電力を中位の値まで調整するステップとをさらに具備することを特徴とする請求項８に記載の方法。
【請求項１３】
ＵＬ干渉が低位であり、
ＣＰＩＣＨ  ＲＳＣＰが低位であり、かつ
ＲＳＳＩが高位である
場合には、バックオフを低位の値に設定するステップと、電力を高位の値まで調整するステップとをさらに具備することを特徴とする請求項８に記載の方法。
【請求項１４】
ＵＬ干渉が高位であり、
ＣＰＩＣＨ  ＲＳＣＰが低位であり、かつ
ＲＳＳＩが高位である
場合には、バックオフを中位の値に設定するステップと、電力を高位の値まで調整するステップとをさらに具備することを特徴とする請求項８に記載の方法。
【請求項１５】
ＵＬ干渉が低位であり、
ＣＰＩＣＨ  ＲＳＣＰが高位であり、かつ
ＲＳＳＩが高位である
場合には、バックオフを低位の値に設定するステップと、電力を調整しないステップとをさらに具備することを特徴とする請求項８に記載の方法。
【請求項１６】
ＵＬ干渉が高位であり、
ＣＰＩＣＨ  ＲＳＣＰが高位であり、かつ
ＲＳＳＩが高位である
場合には、バックオフを中位の値に設定するステップと、電力を中位の値まで調整するステップとをさらに具備することを特徴とする請求項８に記載の方法。
【請求項１７】
衝突を検出するステップと、
ＲＡＣＨ（Ｒａｎｄｏｍ  Ａｃｃｅｓｓ  ＣＨａｎｎｅｌ：ランダムアクセスチャネル）周波数を切り換えるステップと
をさらに具備することを特徴とする請求項１に記載の方法。
【請求項１８】
前記複数の測定結果が、セル負荷値およびＣＱＩ（Ｃｈａｎｎｅｌ  Ｑｕａｌｉｔｙ  Ｉｎｄｅｘ：チャネル品質情報）を具備することを特徴とする請求項８に記載の方法。
【請求項１９】
複数の測定を実行するステップと、
前記複数の測定値を送信するステップと、
前記送信された複数の測定値に基づいて、バックオフ・レベルおよび送信電力レベルの調整を受信するステップと
をさらに具備することを特徴とする請求項１に記載の方法。
【請求項２０】
ｅＮＢ（ｅ  Ｎｏｄｅ  Ｂ：ｅノードＢ）がＷＴＲＵ（Ｗｉｒｅｌｅｓｓ  Ｔｒａｎｓｍｉｔ  Ｒｅｃｅｉｖｅ  Ｕｎｉｔ：無線送受信ユニット）のバックオフ・レベルおよび送信電力を設定する方法であって、
複数のＷＴＲＵ測定値を受信するステップと、
ｅＮＢ測定を判定するステップと、
複数のＷＴＲＵ測定値およびｅＮＢ測定値に基づいて、ＷＴＲＵのバックオフ・レベルおよび送信電力を決定するステップと、
バックオフおよび送信電力の調整を送信するステップと
を具備することを特徴とする方法。
【請求項２１】
前記複数のＷＴＲＵ測定値が、ＣＩＰＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）、およびＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）の値を具備することを特徴とする請求項２０に記載の方法。
【請求項２２】
前記ｅＮＢ測定が、ＵＬ（ＵｐＬｉｎｋ：上り回線）干渉値を具備することを特徴とする請求項２０に記載の方法。
【請求項２３】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）のバックオフ・レベルおよび送信電力を設定する方法であって、
高位または低位の何れかであるＣＰＩＣＨ  ＲＳＣＰ（Ｃｏｍｍｏｎ Ｐｉｌｏｔ  Ｃｈａｎｎｅｌ  Ｒｅｃｅｉｖｅｄ  Ｓｉｇｎａｌ  Ｃｏｄｅ  Ｐｏｗｅｒ：共通パイロットチャネル希望波受信電力））を検出するステップと、
高位または低位の何れかであるＵＬ（Ｕｐｌｉｎｋ：上り回線）干渉レベルを検出するステップと、
高位または低位の何れかであるＤＬ（Ｄｏｗｎｌｉｎｋ：下り回線）干渉レベルを検出するステップと、
前記ＣＰＩＣＨ  ＲＳＣＰレベル、ＵＬ干渉レベル、およびＤＬ干渉レベルに基づいて、前記バックオフ・レベルおよび前記送信電力を設定するステップと
をさらに具備することを特徴とする方法。
【請求項２４】
前記バックオフ・レベルが、低位のバックオフ・レベル、中位のバックオフ・レベル、または高位のバックオフ・レベルに設定されること、および前記送信電力が、低位の電力レベル、中位の電力レベル、または高位の電力レベルに設定されることを特徴とする請求項２３に記載の方法。
【請求項２５】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）においてバックオフ・レベルを設定し、かつ送信電力を調整する方法であって、
複数のパラメーターによりバックオフ・レベルおよび送信電力を設定するための複数のシナリオを定義するステップと、
複数の測定値を前記シナリオと比較するステップと、
前記比較に基づいてバックオフおよび電力レベルを調整するステップと
を具備することを特徴とする方法。
【請求項２６】
前記パラメーターは、
セル内のＷＴＲＵ位置と、
ＵＬ（ＵｐＬｉｎｋ：上り回線）上の干渉と、
ＤＬ（ＤｏｗｎＬｉｎｋ：下り回線）上の干渉と、
深いフェージングの存在と、
ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）のレベルと、
ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）のレベルと
を具備することを特徴とする請求項２５に記載の方法。
【請求項２７】
ＤＬ（ＤｏｗｎＬｉｎｋ：下り回線）干渉値を受信するように構成される受信機と、
信号受信における問題を判定し、
複数の測定結果を判定し、および
前記複数の測定結果に基づいて、バックオフおよび送信電力を調整する
ように構成されるプロセッサと
を具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【請求項２８】
前記複数の測定結果は、
ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）の値と、
ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）の値と
を具備することを特徴とする請求項２７に記載のＷＴＲＵ。
【請求項２９】
前記プロセッサが、セル距離およびフェージング状態を判定するようにさらに構成されることを特徴とする請求項２７に記載のＷＴＲＵ。
【請求項３０】
前記プロセッサは、
複数の測定結果に基づいてシナリオを決定し、および
前記シナリオに基づいてバックオフおよび送信電力を調整する
ようにさらに構成されることを特徴とする請求項２７に記載のＷＴＲＵ。
【請求項３１】
前記シナリオは、
セルに対するＷＴＲＵの位置と、
干渉測定値と、
深いフェージングの状態と、
ＣＰＩＣＨ  ＲＳＣＰと、
ＲＳＳＩと、
ＵＬ（ＵｐＬｉｎｋ：上り回線）干渉と
を具備することを特徴とする請求項３０に記載のＷＴＲＵ。
【請求項３２】
前記プロセッサが、前記ＣＰＩＣＨ  ＲＳＣＰ、ＲＳＳＩ、およびＵＬ干渉が高位であるか、または低位であるかを判定するようにさらに構成されることを特徴とする請求項３１に記載のＷＴＲＵ。
【請求項３３】
ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）の高位または低位の何れかのレベルを検出し、
高位または低位の何れかであるＵＬ（ＵｐＬｉｎｋ：上り回線）干渉レベルを検出し、
高位または低位の何れかであるＤＬ（ＤｏｗｎＬｉｎｋ：下り回線）干渉レベルを検出し、ならびに
前記ＣＩＰＣＨ  ＲＳＣＰ、ＵＬ干渉レベル、およびＤＬ干渉レベルに基づいて、バックオフおよび送信電力レベルを設定する
ように構成されるプロセッサを具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【発明の詳細な説明】
【技術分野】
【０００１】
本発明は、無線通信に関する。
【背景技術】
【０００２】
スペクトル効率の改善、待ち時間の削減、より速いユーザー体験、ならびにより少ない費用によるより豊富なアプリケーションおよびサービスを提供するために、新技術、新しいネットワークのアーキテクチャおよび構成、ならびに新しいアプリケーションおよびサービスを無線通信ネットワークにもたらすように、３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシップ・プロジェクト）が、ＬＴＥ（Ｌｏｎｇ  Ｔｅｒｍ  Ｅｖｏｌｕｔｉｏｎ：長期進化版）プログラムを開始している。ＬＴＥプログラムの１つの目標は、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：発展型ＵＴＲＡＮ）を開発することである。
【０００３】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）は、最初の呼の確立の間にＥ−ＵＴＲＡＮにて上り回線送信し、そして個別（ｄｅｄｉｃａｔｅｄ）チャンネルまたは共有チャンネルが割り付けられていないときには常に、ＷＴＲＵはＲＡＣＨ（Ｒａｎｄｏｍ  Ａｃｃｅｓｓ  ＣＨａｎｎｅｌ：ランダムアクセスチャネル）を使用することによってネットワークにアクセスする。ＷＴＲＵは、ＲＡＣＨリソースを利用する前に、種々のバックオフ機構を適用する。バックオフは、アクセス障害の次の再試行を含む、それぞれのアクセスの試行の前に適用することができる。ＷＴＲＵは、アクセス・クラスを特定し、そして自身のバックオフ遅延を計算するために使用するＳＩＢ（Ｓｙｓｔｅｍ  Ｉｎｆｏｒｍａｔｉｏｎ  Ｂｌｏｃｋ：システム情報ブロック）を読み出すことができる。さらに、ネットワークが動的にＳＩＢにおける確率係数を信号送出することができる。
【０００４】
ＷＴＲＵは、プリアンブルのＮＡＣＫ（Ｎｅｇａｔｉｖｅ  ＡＣＫｎｏｗｌｅｄｇｅｍｅｎｔ：否定応答）信号の受信が、衝突による失敗を表すと推論することができる。ＷＴＲＵはまた、プリアンブル応答が無いことは、干渉、またはＳＩＲ（Ｓｉｇｎａｌ−ｔｏ−Ｉｎｔｅｒｆｅｒｅｎｃｅ  Ｒａｔｉｏ：信号対干渉比）が低いことによる失敗を表すと推論することができる。この推論に基づいてＷＴＲＵは、ＲＡＣＨプリアンブルを再送信するためのバックオフ値を変更することができる。しかしながら推論は信頼できない。ＳＩＲが低い場合に対して過負荷状態の検出を改善できるのであれば、ＷＴＲＵはバックオフ因子に関してより良い判定をすることができる。
【発明の概要】
【０００５】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）においてバックオフ調整および送信電力の調整を決定するための方法および装置が開示される。本方法は、ＷＴＲＵが、信号受信における問題を判定するステップ、例えばＣＩＰＣＨ（Ｃｏｍｍｏｎ  ＰＩｌｏｔ  ＣＨａｎｎｅｌ：共通パイロットチャネル）のＲＳＣＰ（Ｒｅｃｅｉｖｅｄ  Ｓｉｇｎａｌ  Ｃｏｄｅ  Ｐｏｗｅｒ：希望波受信電力）およびＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）などを測定するステップ、例えばＵＬ（ＵｐＬｉｎｋ：上り回線）干渉などのｅＮＢからの測定値を受信するステップ、およびそれら測定値に基づきバックオフおよび送信電力を調整するステップを含む。
【図面の簡単な説明】
【０００６】
例示により以下の詳細な説明がより詳しく理解でき、また、添付の図面により理解することができる。
【図１】一実施形態による無線通信システムを示す図である。
【図２】一実施形態によるＷＴＲＵおよびｅＮＢ（ｅ  Ｎｏｄｅ  Ｂ：ｅノードＢ）の機能ブロック図である。
【図３】一実施形態によるバックオフを判定する方法のフロー図である。
【発明を実施するための形態】
【０００７】
用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」は、これ以後に言及するときに、ＵＥ（Ｕｓｅｒ  Ｅｑｕｉｐｍｅｎｔ：ユーザー設備）、移動端末、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作することができる他の如何なる種類のユーザー・デバイスをも含むが、これらに限定されない。用語「基地局（ｂａｓｅ  ｓｔａｔｉｏｎ）」は、これ以後に言及するときに、ｅノードＢ（ｅ  Ｎｏｄｅ−Ｂ）、サイト制御装置、ＡＰ（Ａｃｃｅｓｓ  Ｐｏｉｎｔ：アクセス・ポイント）、または無線環境において動作することができる他の如何なる種類のインターフェイス・デバイスをも含むが、これらに限定されない。
【０００８】
図１は、一実施形態による無線通信システム１００を示す。システム１００は、複数のＷＴＲＵ１１０および１つのｅＮＢ１２０を含む。図１に示すように、ＷＴＲＵ１１０は、ｅＮＢ１２０と通信する。図１において３つのＷＴＲＵ１１０および１つのｅＮＢ１２０が示されるが、無線装置及び有線装置のいかなる組み合わせも無線通信システム１００に含むことができることに注意すべきである。
【０００９】
図２は、図１の無線通信システム１００のＷＴＲＵ１１０およびｅＮＢ１２０の機能ブロック図２００である。図１に示すように、ＷＴＲＵ１１０はｅＮＢ１２０と通信し、かつ両方が適応型順番付与（ａｄａｐｔｉｖｅ  ｓｅｑｕｅｎｃｅ  ｎｕｍｂｅｒｉｎｇ）の方法を実行するように構成される。
【００１０】
通常のＷＴＲＵにおいて見出すことができる構成要素に加えて、ＷＴＲＵ１１０は、プロセッサ２１５、受信機２１６、送信機２１７、およびアンテナ２１８を含む。プロセッサ２１５は、バックオフおよび電力レベルを判定するための手順を実行するように構成することができる。受信機２１６および送信機２１７は、プロセッサ２１５と通信する。アンテナ２１８は、受信機２１６および送信機２１７の両方と通信し、無線データの送信および受信を容易にする。
【００１１】
通常のｅＮＢ１２０において見出すことができる構成要素に加えて、ｅＮＢ１２０は、プロセッサ２２５、受信機２２６、送信機２２７、およびアンテナ２２８を含む。プロセッサ２２５は、とりわけ、バックオフおよび送信電力レベルを判定するための測定および手順を実行するように構成される。受信機２２６および送信機２２７は、プロセッサ２２５と通信する。アンテナ２２８は、受信機２２６および送信機２２７の両方と通信し、無線データの送信および受信を容易にする。
【００１２】
ＷＴＲＵ１１０は、受信した信号の様々な測定をすることができる。ＷＴＲＵ１１０ができる測定のうちの１つは、ＣＰＩＣＨ  ＲＳＣＰ（Ｃｏｍｍｏｎ  ＰＩｌｏｔ  ＣＨａｎｎｅｌ  Ｒｅｃｅｉｖｅｄ  Ｓｉｇｎａｌ  Ｃｏｄｅ  Ｐｏｗｅｒ：共通パイロットチャネル希望波受信電力））である。ＣＰＩＣＨ  ＲＳＣＰは、ＷＴＲＵ１１０でのＣＰＩＣＨ希望波受信電力の尺度である。ＣＰＩＣＨ  ＲＳＣＰはより詳しく述べると、所与のチャンネルのパイロット・ビット列に含まれる１つのコード上のＷＴＲＵ１１０によって逆拡散された後の受信電力である。
【００１３】
ＷＴＲＵ１１０ができる別の測定には、ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）がある。ＲＳＳＩは、ＷＴＲＵ受信機２１６にて測定される総合の受信電力であり、そして下り回線の干渉のインジケーターである。
【００１４】
表１は、検出されたＣＰＩＣＨ  ＲＳＣＰ、ｅＮＢ１２０から受信したＵＬ（ＵｐＬｉｎｋ：上り回線）干渉、ＷＴＲＵ１２０が測定したＲＳＳＩに基づくＤＬ（ＤｏｗｎＬｉｎｋ：下り回線）干渉、ｅＮＢ１２０からのＷＴＲＵ１２０の距離、およびＷＴＲＵが深いフェージング（ｄｅｅｐ  ｆａｄｅ）にあるか否か、の組み合わせに基づく可能なシナリオの一覧を示す。
【００１５】
ＵＬ干渉は、ｅＮＢ１２０にて測定され、そしてセル内の他のＷＴＲＵの存在を考慮に入れる。ＷＴＲＵ１１０がｅＮＢ１２０から必要とする唯一のパラメーターは、ＵＬ干渉である。ＵＬ干渉値は、通常ブロードキャスト・システム情報の中でＷＴＲＵ１１０に送信される。ＲＳＣＰ、ＲＳＳＩ、および他のパラメーターは、ＷＴＲＵ１１０により測定することができる。したがって、ｅＮＢ１２０からの支援を受け、ＷＴＲＵ１１０は、深いフェージングにあるか否か、低いＳＩＲを持っているか、または他のＷＴＲＵからの干渉があるか否かを判定することが可能である。さらに、ＷＴＲＵ１１０がｅＮＢ１２０の近くにあるか、またはセルの端にいるかどうかについても判定することができる。すべての量に対して閾値を判定するための測定をすることができる。
【００１６】
例えばシナリオ１においては、ＷＴＲＵ１１０はｅＮＢ１２０の近くにあり、干渉および深いフェージングは無く、そしてＣＰＩＣＨ  ＲＳＣＰは高位であり、ＵＬ干渉は低位であり、そしてＲＳＳＩは低位である。別の例としてシナリオ６においては、干渉がＤＬおよびＵＬの両方にあり、ＷＴＲＵ１１０は深いフェージングにあって、かつｅＮＢ１２０の近くにある。ＣＰＩＣＨ  ＲＳＣＰは低位であり、ＵＬ干渉は高位であり、そして下り回線干渉は高位である。
【００１７】
【表１】
2010516095.tif 000003
【００１８】
表２は、表１の１２のシナリオをバックオフ・レベルおよび送信電力への特定の調整に関連付けていることを示す。それぞれのシナリオにおいて、ＷＴＲＵ１１０は、特定のＳＩＢ（Ｓｙｓｔｅｍ  Ｉｎｆｏｒｍａｔｉｏｎ  Ｂｌｏｃｋ：システム情報ブロック）をｅＮＢ１２０から適切に受信しておらず、ＤＬおよび／またはＵＬ上において問題があることを示している。
【００１９】
【表２】
2010516095.tif 000004
【００２０】
表２に示すように、シナリオ５および９において、ならびに同様にシナリオ８および１２に関して、例えば、ＵＬ干渉が低位のとき、ＵＬ上には雑音または干渉がない。低ＲＳＣＰに組み合わされると、これは、ＷＴＲＵ１１０がセルの端の近くにいるか、または深いフェージングにあるかを表すことができる。したがって、ＷＴＲＵ１１０からの応答がない場合の最も起こり得る原因は、ＷＴＲＵがＤＬ上でＳＩＢ（Ｓｙｓｔｅｍ  Ｉｎｆｏｒｍａｔｉｏｎ  Ｂｌｏｃｋ：システム情報ブロック）を受信していないことである。したがって、電力は上げられ、そしてバックオフは増加されない。
【００２１】
シナリオ７および１１においては、ＵＬ干渉が高位である。ｅＮＢは、雑音または干渉のためにＵＬ信号を適切に受信できない場合がある。しかしながら、ＤＬ干渉（ＲＳＳＩ−ＲＳＣＰ）は低位であるため、ＤＬ上では雑音がない。しかしＲＳＣＰが低位であると、ＳＩＢがＷＴＲＵに到達していない場合がある。ＵＬまたはＤＬ上の衝突または雑音の確率がほとんど等しい場合には、この問題が衝突であるかどうかが不明確である。ＷＴＲＵがセルの端にある場合があるため、したがってバックオフは中位の値に設定され、そして電力は高位の値にまで上げられる。
【００２２】
シナリオ１においては、ＵＬ干渉が低位なので、ＵＬ上に雑音または干渉がない。ＲＳＣＰが高位でありかつＲＳＳＩが低位なので、高位なＲＳＣＰおよび低位なＤＬ干渉によってＤＬ状態は良好でありうる。したがって、ＷＴＲＵ１１０がｅＮＢ１２０信号を適切に受信しない唯一の理由は、ＵＬ上でのランダムな衝突であるということがありうる。したがって、バックオフはより高位な値に設定されるが、電力は上げられない。
【００２３】
シナリオ３、および同様にシナリオ２において、ＵＬ干渉は高位である。したがって、ｅＮＢ１２０が雑音のためにＷＴＲＵ１１０からの信号を受信できない確率は、干渉が問題になる確率とほとんど等しい。ＲＳＣＰが高位でありそしてＤＬ干渉が低位のとき、ＤＬ状態は非常に良好と思われる。したがって、バックオフは中位の値に設定され、そして電力は中位の値に上げられる。これは、ＵＬ上の雑音および干渉の両方の効果に対抗することができる。
【００２４】
シナリオ６および１０においては、干渉が高位である。したがって、雑音または干渉のためｅＮＢ１２０はＷＴＲＵ１１０から信号を受信していない場合がある。また、ＲＳＣＰが低位でかつＤＬ干渉が高位なため、ＤＬ状態が悪いものと思われる。したがって、ＵＬおよびＤＬ上のチャンネル状態が悪いことにより、ＷＴＲＵはｅＮＢ１２０から応答を受信しなかったことがありうる。衝突はおそらく問題でないが、わずかな確率でＵＬ上の衝突がある。したがって、悪いチャンネル状態を補償するために、ＷＴＲＵ１１０は、バックオフを中位の値に調整し、そしてその電力をより高位な値に上げなければならない。
【００２５】
シナリオ４においては、ＵＬ干渉は低位である。ＵＬ上には雑音も干渉もない。ＲＳＣＰが高位なため、ＷＴＲＵ１１０はｅＮＢ１２０の近くにある場合がある。しかしながら、ＤＬ干渉は高位であり、そしてＷＴＲＵ１１０は多くの雑音を測定している。したがって、ＷＴＲＵ１１０が適切なＳＩＢを検出しないことに対する主たる理由がＤＬ雑音であることはありうる。したがって、バックオフは低位の値に調整されるべきである。しかしながら、ＷＴＲＵ１１０に関する電力の増大が必ずしもＤＬ雑音に有効であるというわけではないので、電力を上げることは役に立たない場合がある。
【００２６】
送信電力が調整されるシナリオにおいて、高位の、中位の、そして低位の設定に対して固定された値に電力を設定することができる。あるいは、電力調整は、徐々に増加することができる。衝突が問題であると識別されるならば、ＷＴＲＵは、再送信に対してＲＡＣＨ（Ｒａｎｄｏｍ  Ａｃｃｅｓｓ  ＣＨａｎｎｅｌ：ランダムアクセスチャネル）の周波数を切り換えることにより、周波数ホッピング法を採用することができる。
【００２７】
図３は、一実施形態によるバックオフおよび電力レベル制御の方法のフロー図３００である。ステップ３０２において、ＷＴＲＵはＣＩＰＣＨ  ＲＳＣＰを測定する。ステップ３０４にて、ＷＴＲＵはＲＳＳＩを測定する。ステップ３０６にて、ＷＴＲＵはｅＮＢからＵＬ干渉情報を受信する。測定が完了すると、ステップ３０８にて、ＷＴＲＵは表１に基づき自身が何れのシナリオにいるかを決定することができる。そのシナリオおよびそのシナリオに関連付けられた動作予定に基づき、ステップ３１０にてＷＴＲＵは、バックオフおよび電力レベルをそれに応じて調整する。
【００２８】
代替手段として、バックオフおよび電力レベルを決定するために、ＷＴＲＵは他の測定値を使用することができる。例えば、ＲＳＳＩおよびＣＰＩＣＨ  ＲＳＣＰと共にまたはその代わりに、セル負荷またはＣＱＩ（Ｃｈａｎｎｅｌ  Ｑｕａｌｉｔｙ  Ｉｎｄｉｃａｔｏｒ：チャンネル品質インジケーター）を使用することができる。測定がｅＮＢによって提供されるなら、ＷＴＲＵにＢＣＨ（Ｂｒｏａｄｃａｓｔ  ＣＨａｎｎｅｌ：ブロードキャスト・チャンネル）送信において、それを送信することが可能である。
【００２９】
別の代替手段として、ｅＮＢがＷＴＲＵの代わりにバックオフ・レベルおよび電力レベルを決定することができる。ＷＴＲＵは関連する測定値をｅＮＢに報告することができ、そしてｅＮＢは適切な電力レベルおよびバックオフを決定した後に、その情報を例えばＢＣＨを使用してＷＴＲＵに送信することができる。あるセルにおける個々のＷＴＲＵに対して、１式のＷＴＲＵ群に対して、またはセルの中のすべてのＷＴＲＵに対してこれをすることができる。
【００３０】
実施形態
１．信号受信における問題を判定するステップを具備することを特徴とする、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）においてバックオフ調整および送信電力調整を決定するための方法。
【００３１】
２．複数の測定結果に基づき、バックオフおよび送信電力を調整するステップをさらに具備することを特徴とする実施形態１に記載の方法。
【００３２】
３．上記複数の測定結果を作成するために複数の変数を測定するステップをさらに具備することを特徴とする実施形態２に記載の方法。
【００３３】
４．上記複数の測定結果を受信するステップをさらに具備することを特徴とする実施形態３または４に記載の方法。
【００３４】
５．上記複数の測定値結果が、ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）、およびＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）を具備することを特徴とする実施形態２、３、または４に記載の方法。
【００３５】
６．セル距離およびフェージング状態を判定するステップをさらに具備することを特徴とする実施形態１〜５の何れか１つに記載の方法。
【００３６】
７．上記複数の測定結果に基づきシナリオを決定するステップと、上記シナリオに基づきバックオフおよび送信電力を調整するステップと、をさらに具備することを特徴とする実施形態２〜６の何れか１つに記載の方法。
【００３７】
８．上記シナリオが、セルに対するＷＴＲＵの位置、干渉測定、深いフェージング状態、ＣＰＩＣＨ  ＲＳＣＰ、ＲＳＳＩ、およびＵＬ（ＵｐＬｉｎｋ：上り回線）干渉を具備することを特徴とする実施形態７に記載の方法。
【００３８】
９．上記ＣＰＩＣＨ  ＲＳＣＰ、ＲＳＳＩ、およびＵＬ干渉が高位であるかまたは低位であるかを判定するステップをさらに具備することを特徴とする実施形態８に記載の方法。
【００３９】
１０．ＵＬ干渉が低位であり、ＣＰＩＣＨ  ＲＳＣＰが低位であり、かつＲＳＳＩが低位である場合には、送信電力を上げるステップと、バックオフを調整しないステップとをさらに具備することを特徴とする実施形態８または９に記載の方法。
【００４０】
１１．ＵＬ干渉が高位であり、ＣＰＩＣＨ  ＲＳＣＰが低位であり、かつＲＳＳＩが低位である場合には、バックオフを中位の値に設定するステップと、電力を高位の値にまで上げるステップとをさらに具備することを特徴とする実施形態８〜１０の何れか１つに記載の方法。
【００４１】
１２．ＵＬ干渉が低位であり、ＣＰＩＣＨ  ＲＳＣＰが高位であり、かつＲＳＳＩが低位である場合には、バックオフをより高位の値に設定するステップと、電力を調整しないステップとをさらに具備することを特徴とする実施形態８〜１１の何れか１つに記載の方法。
【００４２】
１３．ＵＬ干渉が高位であり、ＣＰＩＣＨ  ＲＳＣＰが高位であり、かつＲＳＳＩが低位である場合には、バックオフを中位の値に設定するステップと、電力を中位の値まで調整するステップとをさらに具備することを特徴とする実施形態８〜１２の何れか１つに記載の方法。
【００４３】
１４．ＵＬ干渉が低位であり、ＣＰＩＣＨ  ＲＳＣＰが低位であり、かつＲＳＳＩが高位である場合には、バックオフを低位の値に設定するステップと、電力を高位の値まで調整するステップとをさらに具備することを特徴とする実施形態８〜１３の何れか１つに記載の方法。
【００４４】
１５．ＵＬ干渉が高位であり、ＣＰＩＣＨ  ＲＳＣＰが低位であり、かつＲＳＳＩが高位である場合には、バックオフを中位の値に設定するステップと、電力を高位の値だけ調整するステップとをさらに具備することを特徴とする実施形態８〜１４の何れか１つに記載の方法。
【００４５】
１６．ＵＬ干渉が低位であり、ＣＰＩＣＨ  ＲＳＣＰが高位であり、かつＲＳＳＩが高位である場合には、バックオフを低位の値に設定するステップと、電力を調整しないステップとをさらに具備することを特徴とする実施形態８〜１５の何れか１つに記載の方法。
【００４６】
１７．ＵＬ干渉が高位であり、ＣＰＩＣＨ  ＲＳＣＰが高位であり、かつＲＳＳＩが高位である場合には、バックオフを中位の値に設定するステップと、電力を中位の値まで調整するステップとをさらに具備することを特徴とする実施形態８〜１６の何れか１つに記載の方法。
【００４７】
１８．衝突を検出するステップと、ＲＡＣＨ（Ｒａｎｄｏｍ  Ａｃｃｅｓｓ  ＣＨａｎｎｅｌ：ランダムアクセスチャネル）周波数を切り換えるステップとをさらに具備することを特徴とする実施形態１〜１７の何れか１つに記載の方法。
【００４８】
１９．上記複数の測定結果が、セル負荷値およびＣＱＩ（Ｃｈａｎｎｅｌ  Ｑｕａｌｉｔｙ  Ｉｎｄｅｘ：チャネル品質情報）を具備することを特徴とする実施形態２〜１８の何れか１つに記載の方法。
【００４９】
２０．複数の測定を実行するステップと、当該複数の測定値を送信するステップと、当該送信された複数の測定値に基づくバックオフ・レベルおよび送信電力レベルの調整を受信するステップとをさらに具備することを特徴とする実施形態２〜１９の何れか１つに記載の方法。
【００５０】
２１．ｅＮＢ（ｅ  Ｎｏｄｅ  Ｂ：ｅノードＢ）がＷＴＲＵ（Ｗｉｒｅｌｅｓｓ  Ｔｒａｎｓｍｉｔ  Ｒｅｃｅｉｖｅ  Ｕｎｉｔ：無線送受信ユニット）のバックオフ・レベルおよび送信電力を設定する方法であって、複数のＷＴＲＵ測定値を受信するステップを具備することを特徴とする方法。
【００５１】
２２．ｅＮＢ測定を判定するステップと、複数のＷＴＲＵ測定値およびｅＮＢ測定値に基づきＷＴＲＵのバックオフ・レベルおよび送信電力を決定するステップと、バックオフおよび送信電力の調整を送信するステップとをさらに具備することを特徴とする実施形態２１に記載の方法。
【００５２】
２３．上記複数のＷＴＲＵ測定値が、ＣＩＰＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）、およびＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）の値を具備することを特徴とする実施形態２２に記載の方法。
【００５３】
２４．上記ｅＮＢ測定が、ＵＬ（ＵｐＬｉｎｋ：上り回線）干渉値を具備することを特徴とする実施形態２２または２３に記載の方法。
【００５４】
２５．ＣＰＩＣＨ  ＲＳＣＰ（Ｃｏｍｍｏｎ Ｐｉｌｏｔ  Ｃｈａｎｎｅｌ  Ｒｅｃｅｉｖｅｄ  Ｓｉｇｎａｌ  Ｃｏｄｅ  Ｐｏｗｅｒ：共通パイロットチャネル希望波受信電力））を検出するステップであって、当該ＣＰＩＣＨ  ＲＳＣＰレベルが高位または低位の何れかであることを具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）のバックオフ・レベルおよび送信電力を設定する方法。
【００５５】
２６．ＵＬ（Ｕｐｌｉｎｋ：上り回線）干渉のレベルを検出するステップであって、当該ＵＬ干渉レベルが高位または低位の何れかであることと、ＤＬ（Ｄｏｗｎｌｉｎｋ：下り回線）干渉のレベルを検出するステップであって、当該ＤＬ干渉レベルが高位または低位の何れかであることと、ＣＰＩＣＨ  ＲＳＣＰレベル、ＵＬ干渉レベル、およびＤＬ干渉レベルに基づき、当該バックオフ・レベルおよび当該送信電力を設定するステップとを、さらに具備することを特徴とする実施形態２５に記載の方法。
【００５６】
２７．上記バックオフ・レベルが、低位のバックオフ・レベル、中位のバックオフ・レベル、または高位のバックオフ・レベルに設定されること、および上記送信電力が、低位の電力レベル、中位の電力レベル、または高位の電力レベルに設定されることを特徴とする実施形態２６に記載の方法。
【００５７】
２８．複数のパラメーターによりバックオフ・レベルおよび送信電力を設定するための複数のシナリオを定義するステップを具備することを特徴とする、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）においてバックオフ・レベルを設定するおよび送信電力を調整する方法。
【００５８】
２９．複数の測定値を上記シナリオと比較するステップ、ならびに上記比較に基づきバックオフおよび電力レベルを調整するステップをさらに具備することを特徴とする実施形態２８に記載の方法。
【００５９】
３０．上記パラメーターが、セル内のＷＴＲＵ位置、ＵＬ（ＵｐＬｉｎｋ：上り回線）上の干渉、ＤＬ（ＤｏｗｎＬｉｎｋ：下り回線）上の干渉、深いフェージングの存在、ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）のレベル、およびＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）のレベルを具備することを特徴とする実施形態２８または２９に記載の方法。
【００６０】
３１．ＤＬ（ＤｏｗｎＬｉｎｋ：下り回線）干渉値を受信するように構成される受信機を具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【００６１】
３２．信号受信における問題を判定するように、複数の測定結果を判定するように、および当該複数の測定結果に基づきバックオフおよび送信電力を調整するように構成されるプロセッサをさらに具備することを特徴とする実施形態３１に記載のＷＴＲＵ。
【００６２】
３３．上記複数の測定結果が、ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）の値、およびＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）の値を具備することを特徴とする実施形態３２に記載のＷＴＲＵ。
【００６３】
３４．上記プロセッサが、セル距離およびフェージング状態を判定するようにさらに構成されることを特徴とする実施形態３２または３３に記載のＷＴＲＵ。
【００６４】
３５．上記プロセッサが、複数の測定結果に基づきシナリオを決定するように、および当該シナリオに基づきバックオフおよび送信電力を調整するようにさらに構成されることを特徴とする実施形態３２〜３４の何れか１つに記載のＷＴＲＵ。
【００６５】
３６．上記シナリオが、セルに対するＷＴＲＵの位置、干渉測定値、深いフェージングの状態、ＣＰＩＣＨ  ＲＳＣＰ、ＲＳＳＩ、およびＵＬ（ＵｐＬｉｎｋ：上り回線）干渉を具備することを特徴とする実施形態３５に記載のＷＴＲＵ。
【００６６】
３７．上記プロセッサが、上記ＣＰＩＣＨ  ＲＳＣＰ、ＲＳＳＩ、およびＵＬ干渉が高位かまたは低位かを判定するようにさらに構成されることを特徴とする実施形態３２〜３６の何れか１つに記載のＷＴＲＵ。
【００６７】
３８．ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）のレベルを検出するように構成されるプロセッサであって、当該ＣＩＰＣＨ  ＲＳＣＰレベルが高位または低位の何れかであることを具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【００６８】
３９．上記プロセッサが、高位または低位の何れかであるＵＬ（ＵｐＬｉｎｋ：上り回線）干渉のレベルを検出するように、高位または低位の何れかであるＤＬ（ＤｏｗｎＬｉｎｋ：下り回線）干渉のレベルを検出するように、ならびに上記ＣＩＰＣＨ  ＲＳＣＰ、ＵＬ干渉レベル、およびＤＬ干渉レベルに基づきバックオフおよび送信電力レベルを設定するようにさらに構成されることを特徴とする実施形態３８に記載のＷＴＲＵ。
【００６９】
特定の組み合わせの実施形態において、この特徴および要素が記述されているが、それぞれの特徴または要素は、実施形態の他の特徴および要素なしに単独に、または他の特徴および要素のあるなしにかかわらず様々な組み合わせにより使用可能である。提供される方法またはフローチャートは、汎用コンピューターまたはプロセッサが実行するためのコンピューター可読可能な記憶媒体において実体的に具現化されるコンピューター・プログラム、ソフトウェア、またはファームウェアにおいて実施可能である。コンピューター可読可能な記憶媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００７０】
適切なプロセッサは、例えば、汎用目的プロセッサ、専用目的プロセッサ、従来のプロセッサ、ＤＳＰ（Ｄｉｇｉｔａｌ  Ｓｉｇｎａｌ  Ｐｒｏｃｅｓｓｏｒ：デジタル信号プロセッサ）、複数のマイクロプロセッサ、ＤＳＰコアに関連付けられた１つまたは複数のマイクロプロセッサ、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、その他の種類のＩＣ（Ｉｎｔｅｇｒａｔｅｄ  Ｃｉｒｃｕｉｔ：集積回路）、および／または状態機械（state machine）が含まれる。
【００７１】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー設備）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアと関連付けられたプロセッサが使用可能である。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、および／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールなどのモジュールと連動して使用することができる。
【図１】
2010516095.tif 000005
【図２】
2010516095.tif 000006
【図３】
2010516095.tif 000007
2010516095.tif 000008
【手続補正書】
【提出日】平成20年10月2日(2008.10.2)
【手続補正１】
【補正対象書類名】特許請求の範囲
【補正対象項目名】全文
【補正方法】変更
【補正の内容】
【特許請求の範囲】
【請求項１】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）においてバックオフ調整および送信電力調整を判定するための方法であって、
信号受信における問題を判定するステップと、
複数の測定結果に基づいて、シナリオを判定するステップと、
前記シナリオに基づいて、前記信号受信における問題に応じてバックオフおよび送信電力を調整するステップと、
を具備し、
前記シナリオは、セルに対するＷＴＲＵの位置と、干渉測定と、深いフェージング状態と、ＣＰＩＣＨ  ＲＳＣＰと、ＲＳＳＩと、ＵＬ（ＵｐＬｉｎｋ：上り回線）干渉とを具備する
ことを特徴とする方法。
【請求項２】
前記複数の測定結果を作成するために複数の変数を測定するステップをさらに具備することを特徴とする請求項１に記載の方法。
【請求項３】
前記複数の測定結果を受信するステップをさらに具備することを特徴とする請求項１に記載の方法。
【請求項４】
前記複数の測定値結果が、ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）、およびＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）を具備することを特徴とする請求項１に記載の方法。
【請求項５】
セル距離およびフェージング状態を判定するステップをさらに具備することを特徴とする請求項１に記載の方法。
【請求項６】
前記ＣＰＩＣＨ  ＲＳＣＰ、ＲＳＳＩ、およびＵＬ干渉が高位であるか、または低位であるかを判定するステップをさらに具備することを特徴とする請求項１に記載の方法。
【請求項７】
ＵＬ干渉が低位であり、
ＣＰＩＣＨ  ＲＳＣＰが低位であり、かつ
ＲＳＳＩが低位である
場合には、送信電力を上げるステップと、バックオフを調整しないステップとをさらに具備することを特徴とする請求項６に記載の方法。
【請求項８】
ＵＬ干渉が高位であり、
ＣＰＩＣＨ  ＲＳＣＰが低位であり、かつ
ＲＳＳＩが低位である
場合には、バックオフを中位の値に設定するステップと、電力を高位の値まで上げるステップとをさらに具備することを特徴とする請求項６に記載の方法。
【請求項９】
ＵＬ干渉が低位であり、
ＣＰＩＣＨ  ＲＳＣＰが高位であり、かつ
ＲＳＳＩが低位である
場合には、バックオフをより高位の値に設定するステップと、電力を調整しないステップとをさらに具備することを特徴とする請求項６に記載の方法。
【請求項１０】
ＵＬ干渉が高位であり、
ＣＰＩＣＨ  ＲＳＣＰが高位であり、かつ
ＲＳＳＩが低位である
場合には、バックオフを中位の値に設定するステップと、電力を中位の値まで調整するステップとをさらに具備することを特徴とする請求項６に記載の方法。
【請求項１１】
ＵＬ干渉が低位であり、
ＣＰＩＣＨ  ＲＳＣＰが低位であり、かつ
ＲＳＳＩが高位である
場合には、バックオフを低位の値に設定するステップと、電力を高位の値まで調整するステップとをさらに具備することを特徴とする請求項６に記載の方法。
【請求項１２】
ＵＬ干渉が高位であり、
ＣＰＩＣＨ  ＲＳＣＰが低位であり、かつ
ＲＳＳＩが高位である
場合には、バックオフを中位の値に設定するステップと、電力を高位の値まで調整するステップとをさらに具備することを特徴とする請求項６に記載の方法。
【請求項１３】
ＵＬ干渉が低位であり、
ＣＰＩＣＨ  ＲＳＣＰが高位であり、かつ
ＲＳＳＩが高位である
場合には、バックオフを低位の値に設定するステップと、電力を調整しないステップとをさらに具備することを特徴とする請求項６に記載の方法。
【請求項１４】
ＵＬ干渉が高位であり、
ＣＰＩＣＨ  ＲＳＣＰが高位であり、かつ
ＲＳＳＩが高位である
場合には、バックオフを中位の値に設定するステップと、電力を中位の値まで調整するステップとをさらに具備することを特徴とする請求項６に記載の方法。
【請求項１５】
衝突を検出するステップと、
ＲＡＣＨ（Ｒａｎｄｏｍ  Ａｃｃｅｓｓ  ＣＨａｎｎｅｌ：ランダムアクセスチャネル）周波数を切り換えるステップと
をさらに具備することを特徴とする請求項１に記載の方法。
【請求項１６】
前記複数の測定結果が、セル負荷値およびＣＱＩ（Ｃｈａｎｎｅｌ  Ｑｕａｌｉｔｙ  Ｉｎｄｅｘ：チャネル品質情報）を具備することを特徴とする請求項１に記載の方法。
【請求項１７】
複数の測定を実行するステップと、
前記複数の測定値を送信するステップと、
前記送信された複数の測定値に基づいて、バックオフ・レベルおよび送信電力レベルの調整を受信するステップと
をさらに具備することを特徴とする請求項１に記載の方法。
【請求項１８】
ｅＮＢ（ｅ  Ｎｏｄｅ  Ｂ：ｅノードＢ）がＷＴＲＵ（Ｗｉｒｅｌｅｓｓ  Ｔｒａｎｓｍｉｔ  Ｒｅｃｅｉｖｅ  Ｕｎｉｔ：無線送受信ユニット）のバックオフ・レベルおよび送信電力を設定する方法であって、
複数のＷＴＲＵ測定値を受信するステップと、
ｅＮＢ測定を判定するステップと、
複数のＷＴＲＵ測定値およびｅＮＢ測定値に基づいて、ＷＴＲＵのバックオフ・レベルおよび送信電力を決定するステップと、
バックオフおよび送信電力の調整を送信するステップと
を具備し、
前記ｅＮＢ測定値は、ＵＬ（ＵｐＬｉｎｋ：上り回線）干渉値を具備する
ことを特徴とする方法。
【請求項１９】
前記複数のＷＴＲＵ測定値が、ＣＩＰＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）、およびＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）の値を具備することを特徴とする請求項１８に記載の方法。
【請求項２０】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）のバックオフ・レベルおよび送信電力を設定する方法であって、
高位または低位の何れかであるＣＰＩＣＨ  ＲＳＣＰ（Ｃｏｍｍｏｎ Ｐｉｌｏｔ  Ｃｈａｎｎｅｌ  Ｒｅｃｅｉｖｅｄ  Ｓｉｇｎａｌ  Ｃｏｄｅ  Ｐｏｗｅｒ：共通パイロットチャネル希望波受信電力））を検出するステップと、
高位または低位の何れかであるＵＬ（Ｕｐｌｉｎｋ：上り回線）干渉レベルを検出するステップと、
高位または低位の何れかであるＤＬ（Ｄｏｗｎｌｉｎｋ：下り回線）干渉レベルを検出するステップと、
前記ＣＰＩＣＨ  ＲＳＣＰレベル、ＵＬ干渉レベル、およびＤＬ干渉レベルに基づいて、前記バックオフ・レベルおよび前記送信電力を設定するステップと
をさらに具備することを特徴とする方法。
【請求項２１】
前記バックオフ・レベルが、低位のバックオフ・レベル、中位のバックオフ・レベル、または高位のバックオフ・レベルに設定されること、および前記送信電力が、低位の電力レベル、中位の電力レベル、または高位の電力レベルに設定されることを特徴とする請求項２０に記載の方法。
【請求項２２】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）においてバックオフ・レベルを設定し、かつ送信電力を調整する方法であって、
複数のパラメーターによりバックオフ・レベルおよび送信電力を設定するための複数のシナリオを定義するステップと、
複数の測定値を前記シナリオと比較するステップと、
前記比較に基づいてバックオフおよび電力レベルを調整するステップと
を具備することを特徴とする方法。
【請求項２３】
前記パラメーターは、
セル内のＷＴＲＵ位置と、
ＵＬ（ＵｐＬｉｎｋ：上り回線）上の干渉と、
ＤＬ（ＤｏｗｎＬｉｎｋ：下り回線）上の干渉と、
深いフェージングの存在と、
ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）のレベルと、
ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）のレベルと
を具備することを特徴とする請求項２２に記載の方法。
【請求項２４】
ＤＬ（ＤｏｗｎＬｉｎｋ：下り回線）干渉値を受信するように構成される受信機と、
信号受信における問題を判定し、
複数の測定結果を判定し、および
前記受信信号における問題に応じて、前記複数の測定結果に基づいてバックオフおよび送信電力を調整する
ように構成されるプロセッサと
を具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【請求項２５】
前記複数の測定結果は、
ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）の値と、
ＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）の値と
を具備することを特徴とする請求項２４に記載のＷＴＲＵ。
【請求項２６】
前記プロセッサが、セル距離およびフェージング状態を判定するようにさらに構成されることを特徴とする請求項２４に記載のＷＴＲＵ。
【請求項２７】
前記プロセッサは、
複数の測定結果に基づいてシナリオを決定し、および
前記シナリオに基づいてバックオフおよび送信電力を調整する
ようにさらに構成されて、
前記シナリオは、セルに対するＷＴＲＵの位置と、干渉測定値と、深いフェージングの状態と、ＣＰＩＣＨ  ＲＳＣＰと、ＲＳＳＩと、ＵＬ（ＵｐＬｉｎｋ：上り回線）干渉とを具備する
ことを特徴とする請求項２４に記載のＷＴＲＵ。
【請求項２８】
前記プロセッサが、前記ＣＰＩＣＨ  ＲＳＣＰ、ＲＳＳＩ、およびＵＬ干渉が高位であるか、または低位であるかを判定するようにさらに構成されることを特徴とする請求項２７に記載のＷＴＲＵ。
【請求項２９】
ＣＰＩＣＨ（Ｃｏｍｍｏｎ  ＰＩｌｏｔ  ＣＨａｎｎｅｌ：共通パイロットチャネル）  ＲＳＣＰ（Ｒｅｃｅｉｖｅｄ  Ｓｉｇｎａｌ  Ｃｏｄｅ  Ｐｏｗｅｒ：希望波受信電力）の高位または低位の何れかのレベルを検出し、
高位または低位の何れかであるＵＬ（ＵｐＬｉｎｋ：上り回線）干渉レベルを検出し、
高位または低位の何れかであるＤＬ（ＤｏｗｎＬｉｎｋ：下り回線）干渉レベルを検出し、ならびに
前記ＣＩＰＣＨ  ＲＳＣＰ、ＵＬ干渉レベル、およびＤＬ干渉レベルに基づいて、バックオフおよび送信電力レベルを設定する
ように構成されるプロセッサを具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【国際調査報告】
2010516095.tif 000009
2010516095.tif 000010
2010516095.tif 000011